(57)【特許請求の範囲】
【請求項１】
バルブのネック部外周面上に２枚一組で構成される一対の２極の永久磁石を有するコンバーゼンス装置を備えたカラー陰極線管において、
前記２極の永久磁石は、Ｎ極とＳ極とを前記ネック部径方向にそれぞれ２分割された分極を有し、かつそれぞれの同一磁極の前記分極間のなす角度が３０度〜５０度となるように着磁されており、
前記一対の２極の永久磁石の磁界分布がほぼ斉一状になっていることを特徴とするカラー陰極線管。
【発明の詳細な説明】
【０００１】
【産業上の利用分野】
本発明は、テレビおよびディスプレー等に用いるカラー陰極線管に関するものである。
【０００２】
【従来の技術】
従来のカラー陰極線管は、色ずれを少なくするために、ネック部外周面上にそれぞれが円環状でかつ２枚一組で構成される２極のピュリティ磁石、６極のスタティック磁石および４極のスタティック磁石を、ネック部内部のインライン型の電子銃から電子ビームが発射する方向に順次設けた構造のコンバーゼンス装置により、電子ビームを陰極線管のスクリーン部で一点に集束させている。また、２極のピュリティ磁石はＮ極とＳ極とがほぼ１８０度離れて位置し、６極のスタティック磁石はＮ極とＳ極が交互に６０度離れて位置し、４極のスタティック磁石はＮ極とＳ極が交互に９０度離れて位置している（特開昭６１−２０８７２５号公報）。
【０００３】
【発明が解決しようとする課題】
しかしながら、従来のカラー陰極線管では、色純度を良くするために、一対の２極のピュリティ磁石を調整すると、色ずれが発生し、次にこの色ずれをなくするために、一対の６極のスタティック磁石で再調整すると、特にスクリーン上下部において画質が悪くなるという問題があった。
【０００４】
この原因を解析すると、一対の２極のピュリティ磁石の着磁状態が起因することがわかった。すなわち、図７に示すように、２極のピュリティ磁石の着磁状態は、１８０度離れた位置にＮ極とＳ極とが１極ずつ存在しているのではなく、図８に示すように、Ｎ極とＳ極とがそれぞれが２分割された分極を有するもので、それぞれの同一磁極の分極間のなす角度を測定すると６０度以上であった。そのため、２極のピュリティ磁石の２分割された磁界分布は、斉一状でなく、ピンクッション状であった。
【０００５】
ピンクッション状磁界分布を持つ一対の２極のピュリティ磁石は、６極の磁界成分を有するため、色純度を良くするために調整すると、６極の磁界成分が次第に大きくなり、大きな色ずれを起す。次に一対の６極のスタティック磁石で、この大きな色ずれをなくするために再調整すると、特にスクリーン上下部において、電子ビームのスポット形状が大きく歪み、画質が悪くなったものと考えられる。
【０００６】
本発明は、２極のピュリティ磁石の６極の磁界成分をなくし、スクリーン全域において高画質のカラー陰極線管を提供するものである。
【０００７】
【課題を解決するための手段】
本発明のカラー陰極線管は、バルブのネック部外周面上に２枚一組で構成される一対の２極の永久磁石を有するコンバーゼンス装置を備えたカラー陰極線管において、前記２極の永久磁石は、Ｎ極とＳ極とを前記ネック部径方向にそれぞれ２分割された分極を有し、かつそれぞれの同一磁極の前記分極間のなす角度が３０度〜５０度となるように着磁されており、前記一対の２極の永久磁石の磁界分布がほぼ斉一状になっているものである。
【０００８】
【作用】
かかる構成により、一対の２極の磁石の磁界分布がほぼ斉一状になっており、色純度を良くするために、一対の２極の磁石のそれぞれを調整しても色ずれが発生しないので、スクリーン全域において高画質のカラー画像が得られる。
【０００９】
【実施例】
以下、本発明の一実施例について図面を用いて説明する。
【００１０】
本発明実施例のカラー陰極線管は、図１に示すように、フェースパネル１内面に複数色の蛍光体スクリーン２を有するバルブ３と、蛍光体スクリーン２面に近接した位置に設けられた複数の電子ビーム透光孔を有するシャドウマスク４と、ネック部５の内部に設けられたインライン型の電子銃６と、バルブ３のネック部５の外周上に、電子銃６の電子ビームが発射する方向に順次設けられたコンバーゼンス装置７と、偏向ヨーク８とで構成されている。
【００１１】
コンバーゼンス装置７は、図２に示すように、電子銃６から発射される電子ビームを蛍光体スクリーン２部で一点に集束するために、ネック部５外周面上に、それぞれが２枚一組で構成されるスタティックコンバーゼンス補正用の６極の磁石９ａ，９ｂ、４極の磁石１０ａ，１０ｂおよび、ピュリティ補正用の２極の磁石１１ａ，１１ｂを電子銃６の電子ビームが発射する方向に順次設けられている。そして、それぞれの磁石の磁極は、図３に示すように、６極の磁石９ａ，９ｂについては、Ｎ極とＳ極とが交互に６０度離れた位置で、４極の磁石１０ａ，１０ｂについては、Ｎ極とＳ極とが交互に９０度離れた位置でそれぞれ着磁されている。２極の磁石１１ａ，１１ｂについては、Ｎ極とＳ極とをネック部５の径方向にそれぞれ２分割された分極を有し、それぞれの同一磁極の分極間のなす角度を３０度〜５０度となるように着磁されている。好ましくは、同一磁極の分極間のなす角度αは４０度である。
【００１２】
次に、上記カラー陰極線管の作用について説明する。
本発明実施例のカラー陰極線管は、２極の磁石１１ａ，１１ｂがＮ極とＳ極とがそれぞれ２分割された分極を有し、それぞれの同一磁極の分極間のなす角度αを３０度〜５０度となるように着磁しているので、図３に示すように、２極の磁石１１ａ，１１ｂの磁界分布がほぼ斉一状になる。そのため、色純度を良くするために、一対の２極の磁石を調整しても、６極の磁界成分が非常に小さくなるので、色ずれしない。したがって、６極の磁石９ａ，９ｂでの再調整が不要となるので、スクリーン全域において電子ビームのスポット形状の歪の小さい高画質のカラー画像が得られる。
【００１３】
次に、本発明の効果を確認した実験例について説明する。
本発明実施例のカラー陰極線管（以下本発明品という）は、図１〜図３に示す構成を有し、２９．１ｍｍのネック外径を有する１７インチのカラー陰極線管を用い、コンバーゼンス装置７の６極の磁石９ａ，９ｂがＮ極とＳ極とが交互に６０度離れた位置で、４極の磁石１０ａ，１０ｂがＮ極とＳ極とが交互に９０度離れた位置で、２極の磁石１１ａ，１１ｂが角度αを３０度〜５０度の位置でそれぞれ着磁したものを用いた。
【００１４】
これと比較するために、図３に示す一対の２極の磁石１１ａ，１１ｂの角度αを６０度にし、上記と同一仕様の従来のカラー陰極線管（以下従来品という）も製作した。
【００１５】
色純度を良くするために、２極の磁石１１ａ，１１ｂを調整したときのスクリーン２部上の電子ビームのスポット移動量（以降は２極磁界補正量という）と、６極の磁石９ａ，９ｂを調整して、このスポット移動量による色ずれを補正するための、スクリーン２部上の電子ビームのスポット移動量（以降は６極成分コンバーゼンス量という）を調べたところ、図４に示すとおりの結果が得られた。図４において、線Ａは本発明品で、線Ｂは従来品をそれぞれ示す。
【００１６】
図４から明らかなように、本発明品は、色純度を良くするために２極磁界補正量を変化しても、６極成分コンバーゼンス量が小さいことから、色ずれが激減する効果があり、例えば２極磁界補正量３ｍｍにおいては、６極成分コンバーゼンス量が約０．１ｍｍと安定し、６極成分コンバーゼンス量が約０．８ｍｍの従来品と比較し約１／８に低減されていることがわかる。
【００１７】
この理由は、図５および図６から明らかなように、２極の磁石１１ａ，１１ｂの角度αが４０度おいて、６極の磁界成分の強さおよび６極成分コンバーゼンス量が最小であることから、２極の磁石１１ａ，１１ｂの磁界分布が斉一状になっており、２極の磁石１１ａ，１１ｂの角度αが３０度〜５０度おいて、６極の磁界成分の強さが小さく、かつ６極成分コンバーゼンス量がほぼ同じであることから、２極の磁石１１ａ，１１ｂの磁界分布がほぼ斉一状になるからである。
【００１８】
なお、２極の磁石１１ａ，１１ｂの角度αが２５度以下および５５度以上においては、バレル状およびピンクッション状の６極の磁界成分が大きくなり、色ずれ調整後、特にスクリーン上下部において、電子ビームのスポット形状が歪み、実用上問題になる画質になった。
【００１９】
【発明の効果】
以上説明したように、本発明は、一対の２極の磁石の磁界分布がほぼ斉一になっており、色純度を良くするために、一対の２極の磁石のそれぞれを調整しても色ずれが発生しないので、スクリーン全域において高画質のカラー画像を得ることのできるカラー陰極線管を提供することができるものである。
【図面の簡単な説明】
【図１】本発明の一実施例のカラー陰極線管の正面断面図
【図２】同コンバーゼンス装置の拡大図
【図３】同２極、４極および６極の磁石の磁極図
【図４】本発明品と従来品との特性比較図
【図５】本発明の２極の磁石の角度αに対する６極成分の磁界強さの関係図
【図６】本発明の２極の磁石の角度αに対する６極成分コンバーゼンス量の関係図
【図７】従来の２極の磁石の着磁状態の概念図
【図８】従来の２極の磁石の着磁状態図
【符号の説明】
２  スクリーン
３  バルブ
５  ネック部
７  コンバーゼンス装置
１１ａ，１１ｂ  ２極の磁石
【図１】
0003708144.tif 000002
【図２】
0003708144.tif 000003
【図３】
0003708144.tif 000004
【図４】
0003708144.tif 000005
【図５】
0003708144.tif 000006
【図６】
0003708144.tif 000007
【図７】
0003708144.tif 000008
【図８】
0003708144.tif 000009